(57)【特許請求の範囲】
【請求項１】
コンピュータが、
所定のデータ公開サイトに含まれるいずれかのデータを参照するデータの検索要求を、前記所定のデータ公開サイトとは異なるデータ公開サイトに送信し、
前記異なるデータ公開サイトから検索されたデータから、当該データが参照するデータの識別情報を取得し、
前記識別情報により特定されるデータの検索要求を、前記所定のデータ公開サイトに送信する、
処理を実行することを特徴とするデータ取得方法。
【請求項２】
データ公開サイト間の参照関係を示す情報を記憶する記憶部を参照して、前記所定のデータ公開サイトを参照するデータ公開サイトを特定する処理を前記コンピュータが実行し、
前記所定のデータ公開サイトとは異なるデータ公開サイトに送信する処理は、前記特定する処理において特定されたデータ公開サイトに、データの検索要求を送信する、
ことを特徴する請求項１記載のデータ取得方法。
【請求項３】
コンピュータに、
所定のデータ公開サイトに含まれるいずれかのデータを参照するデータの検索要求を、前記所定のデータ公開サイトとは異なるデータ公開サイトに送信し、
前記異なるデータ公開サイトから検索されたデータから、当該データが参照するデータの識別情報を取得し、
前記識別情報により特定されるデータの検索要求を、前記所定のデータ公開サイトに送信する、
処理を実行させるデータ取得プログラム。
【請求項４】
所定のデータ公開サイトに含まれるいずれかのデータを参照するデータの検索要求を、前記所定のデータ公開サイトとは異なるデータ公開サイトに送信する第一の送信部と、
前記異なるデータ公開サイトから検索されたデータを解析して、当該データが参照するデータの識別情報を取得する取得部と、
前記識別情報により特定されるデータの検索要求を、前記所定のデータ公開サイトに送信する第二の送信部と、
を有することを特徴とする情報処理装置。
【発明の詳細な説明】
【技術分野】
【０００１】
本発明は、データ取得方法、データ取得プログラム、及び情報処理装置に関する。
【背景技術】
【０００２】
外部に公開されているＷｅｂページは、相互にリンクを有し、Ｗｅｂページの閲覧者は、或るＷｅｂページに張られたリンクを辿ることで、関連する内容を含むＷｅｂページを容易に閲覧することができる。但し、Ｗｅｂページは、人間による閲覧を用途又は目的として、自然言語で記述されているため、プログラムによる処理には適していない場合が有る。
【０００３】
そこで、プログラムから操作し易い形式でデータを公開するデータ公開サイトが構築されている。データ公開サイトにおいて公開されている各データには、相互にリンクが張られている。このようなデータの一例として、ＬＯＤ（Linked Open Data）が挙げられる。ＬＯＤは、Ｗ３Ｃが推奨する標準形式で公開されたオープンデータのネットワークである。ＬＯＤは、ＲＤＦ（Resource Description Framework ）によって記述され、ＳＰＡＲＱＬ（SPARQL Protocol and RDF Query Language）と呼ばれる標準のＡＰＩ（Application Program Interface）によって、検索することが可能である。
【先行技術文献】
【特許文献】
【０００４】
【特許文献１】特開２００５−３３９４１９号公報
【特許文献２】特開２００５−３４６５９８号公報
【特許文献３】特開２００１−６０１６５号公報
【特許文献４】特開２００９−１５１７４９号公報
【特許文献５】特開２０１１−１００４６１号公報
【発明の概要】
【発明が解決しようとする課題】
【０００５】
ここで、或るデータ公開サイトで公開されている大量のデータ（例えば、全部のデータ）を取得したいとする。この場合、或るＷｅｂサイトにおけるＷｅｂページ群の収集と同様に、或るデータを起点として、当該データに張られているリンクを辿ることが考えられる。
【０００６】
しかしながら、データ公開サイトにおけるデータ間のリンク構造は、ＷｅｂサイトにおけるＷｅｂページ間のリンク構造と必ずしも同様ではない。
【０００７】
図１は、Ｗｅｂページ間のリンク構造とデータ間のリンク構造との違いを説明するための図である。図１において、（１）は、或るＷｅｂサイトにおけるＷｅｂページ間のリンクを示す。（１）に示されるように、Ｗｅサイトでは、或るＷｅｂページを起点としてツリー構造状にリンクが形成されているのが一般的である。（２）は、或るデータ公開サイトにおけるデータ間のリンクを示す。（２）に示されるように、データ公開サイトには、起点となるデータが存在するとは限らない。
【０００８】
したがって、Ｗｅｂページに対するクローリングと同じような手法で、或るデータ公開サイトで公開されている大量のデータを取得するのは困難である。
【０００９】
そこで、ＳＰＡＲＱＬを利用して、当該データ公開サイトに対して、全データの取得要求を示すクエリを投げることが考えられる。
【００１０】
しかしながら、検索範囲が限定されないデータの検索要求は、データ公開サイトに過度な負荷を与えるため、制限がかけられている場合が有る。
【００１１】
そこで、一側面では、本発明は、データ公開サイトから所望のデータを取得することを目的とする。
【課題を解決するための手段】
【００１２】
一側面では、データ取得方法は、コンピュータが、所定のデータ公開サイトに含まれるいずれかのデータを参照するデータの検索要求を、前記所定のデータ公開サイトとは異なるデータ公開サイトに送信し、前記異なるデータ公開サイトから検索されたデータから、当該データが参照するデータの識別情報を取得し、前記識別情報により特定されるデータの検索要求を、前記所定のデータ公開サイトに送信する、処理を実行する。
【発明の効果】
【００１３】
一側面によれば、データ公開サイトから所望のデータを取得することができる。
【図面の簡単な説明】
【００１４】
【図１】Ｗｅｂページ間のリンク構造とデータ間のリンク構造との違いを説明するための図である。
【図２】本発明の実施の形態におけるシステム構成例を示す図である。
【図３】本発明の実施の形態におけるデータ取得装置のハードウェア構成例を示す図である。
【図４】本発明の実施の形態におけるデータ取得装置の機能構成例を示す図である。
【図５】データ取得装置が実行する処理手順の一例を説明するためのフローチャートである。
【図６】サイト関連情報記憶部の構成例を示す図である。
【図７】データ公開サイト間の参照関係の一例を示す図である。
【図８】関連データの検索結果の一例を示す図である。
【図９】データ取得装置が実行する処理手順の一例を具体的に説明するための図である。
【発明を実施するための形態】
【００１５】
以下、図面に基づいて本発明の実施の形態を説明する。図２は、本発明の実施の形態におけるシステム構成例を示す図である。図２において、データ取得装置１０と複数のデータ公開装置２０とは、ＬＡＮ（Local Area Network）又はインターネット等のネットワークを介して通信可能に接続される。
【００１６】
各データ公開装置２０は、データ群を公開するデータ公開サイトとして機能する１以上のコンピュータである。各データ公開装置２０によるデータ公開サイトは、相互に異なるデータ公開サイトであるとする。なお、一つのデータ公開サイトに属するデータのＵＲＩ（Uniform Resource Identifier）は、共通のドメイン名を含む。換言すれば、データ公開サイトとは、共通のドメイン名を含むＵＲＩが割り当てられたデータの集合であるともいえる。したがって、相互に異なるデータ公開サイトに属するデータのＵＲＩは、相互に異なるドメイン名を含む。
【００１７】
データ公開サイトおいて公開されるデータ群の一例として、ＬＯＤ（Linked Open Data）が挙げられる。ＬＯＤは、Ｗ３Ｃが推奨する標準形式で公開されたオープンデータのネットワークである。ＬＯＤは、ＲＤＦ（Resource Description Framework ）によって記述され、ＳＰＡＲＱＬ（SPARQL Protocol and RDF Query Language）と呼ばれる標準のＡＰＩ（Application Program Interface）によって、検索することが可能である。
【００１８】
データ取得装置１０は、データ公開サイトにおいて公開されているデータ群を取得する１以上のコンピュータである。本実施の形態において、データ取得装置１０は、大量データの取得に関する制限を回避しつつ、特定のデータ公開サイトからの大量のデータの取得を実行する。
【００１９】
図３は、本発明の実施の形態におけるデータ取得装置のハードウェア構成例を示す図である。図３のデータ取得装置１０は、それぞれバスＢで相互に接続されているドライブ装置１００、補助記憶装置１０２、メモリ装置１０３、ＣＰＵ１０４、及びインタフェース装置１０５等を有する。
【００２０】
データ取得装置１０での処理を実現するプログラムは、記録媒体１０１によって提供される。プログラムを記録した記録媒体１０１がドライブ装置１００にセットされると、プログラムが記録媒体１０１からドライブ装置１００を介して補助記憶装置１０２にインストールされる。但し、プログラムのインストールは必ずしも記録媒体１０１より行う必要はなく、ネットワークを介して他のコンピュータよりダウンロードするようにしてもよい。補助記憶装置１０２は、インストールされたプログラムを格納すると共に、必要なファイルやデータ等を格納する。
【００２１】
メモリ装置１０３は、プログラムの起動指示があった場合に、補助記憶装置１０２からプログラムを読み出して格納する。ＣＰＵ１０４は、メモリ装置１０３に格納されたプログラムに従ってデータ取得装置１０に係る機能を実行する。インタフェース装置１０５は、ネットワークに接続するためのインタフェースとして用いられる。
【００２２】
なお、記録媒体１０１の一例としては、ＣＤ−ＲＯＭ、ＤＶＤディスク、又はＵＳＢメモリ等の可搬型の記録媒体が挙げられる。また、補助記憶装置１０２の一例としては、ＨＤＤ（Hard Disk Drive）又はフラッシュメモリ等が挙げられる。記録媒体１０１及び補助記憶装置１０２のいずれについても、コンピュータ読み取り可能な記録媒体に相当する。
【００２３】
図４は、本発明の実施の形態におけるデータ取得装置の機能構成例を示す図である。図４において、データ取得装置１０は、要求受付部１１、関連サイト特定部１２、関連データ取得部１３、リンク情報抽出部１４、及び目的データ取得部１５等を有する。これら各部は、データ取得装置１０にインストールされた１以上のプログラムが、ＣＰＵ１０４に実行させる処理により実現される。データ取得装置１０は、また、サイト関連情報記憶部１６を利用する。サイト関連情報記憶部１６は、例えば、補助記憶装置１０２、又はデータ取得装置１０にネットワークを介して接続される記憶装置等を用いて実現可能である。
【００２４】
要求受付部１１は、データの取得要求（検索要求）を受け付ける。当該取得要求には、例えば、データの取得先とする公開サイト（以下、「目的サイト」という。）の識別情報が指定される。
【００２５】
関連サイト特定部１２は、目的サイトを参照するデータ公開サイトを特定する。「目的サイトを参照するデータ公開サイト」とは、目的サイトに属するデータ群のうちのいずれかのデータを参照する（いずれかのデータにリンクを有する）データが属するデータ公開サイトをいう。以下、目的サイトを参照するデータ公開サイトを、「関連サイト」という。なお、データ公開サイト間の参照関係を示す情報（以下、「サイト関連情報」という。）は、サイト関連情報記憶部１６に予め記憶されている。
【００２６】
関連データ取得部１３は、関連サイトに属するデータ群のうち、目的サイトに属するデータ（以下、「目的データ」という。）を参照する（目的データへのリンクを有する）データ（以下、「関連データ」という。）を、関連サイトから検索する。
【００２７】
リンク情報抽出部１４は、関連データ取得部１３によって検索された各関連データを解析して、目的データへのリンク情報を抽出又は取得する。
【００２８】
目的データ取得部１５は、各関連データから抽出されたリンク情報に基づいて、目的サイトから目的データ群を取得する。
【００２９】
以下、データ取得装置１０が実行する処理手順について説明する。図５は、データ取得装置が実行する処理手順の一例を説明するためのフローチャートである。
【００３０】
ステップＳ１０１において、要求受付部１１は、データの取得要求を受け付ける。当該取得要求には、例えば、目的サイトの識別情報（以下、「目的サイト名」という。）が含まれる。目的サイト名は、目的サイトのドメイン名であってもよい。データの取得要求は、ユーザによって入力されてもよいし、他のプログラム又はコンピュータシステムから入力されてもよい。
【００３１】
続いて、関連サイト特定部１２は、サイト関連情報記憶部１６に記憶されているサイト関連情報を参照して、関連サイトを特定する（Ｓ１０２）。
【００３２】
図６は、サイト関連情報記憶部の構成例を示す図である。図６において、サイト関連情報記憶部１６の各レコードは、リンク元サイト名及びリンク先サイト名を含む。リンク元サイト名は、データ公開サイト間の参照関係において参照元のデータ公開サイトの識別情報である。リンク先サイト名は、データ公開サイト間の参照関係において参照先のデータ公開サイトの識別情報である。すなわち、リンク元サイト名に係る公開サイトに属するいずれかのデータは、リンク先サイト名に係るいずれかのデータを参照する。なお、リンク元サイト名及びリンク先サイト名は、それぞれのデータ公開サイトのドメイン名であってもよい。
【００３３】
なお、サイト関連情報記憶部１６に記憶されるサイト関連情報は、例えば、ＶｏＩＤ（Vocabulary of Interlinked Datasets）情報であってもよい。ＶｏＩＤ情報は、ＲＤＦに基づく、データ公開サイト間のリンクを示す情報である。
【００３４】
図６に示される情報は、図７に示されるようなデータ公開サイト間の参照関係を示す。図７は、データ公開サイト間の参照関係の一例を示す図である。図７では、データ公開サイトをノードとし、データ公開サイト間の参照関係を有向枝とする有向グラフによって、データ公開サイト間の参照関係が示されている。
【００３５】
本実施の形態において、目的サイト名は、「ＤＢＰｅｄｉａ」であるとする。したがって、リンク先サイト名に「ＤＢＰｅｄｉａ」を含むレコードのリンク元サイト名に係るデータ公開サイトが、関連サイトとして特定される。すなわち、「ＮＮＮＴｉｍｅｓ」と「ＢＢＢＭｕｓｉｃ」とが、関連サイトとして特定される。
【００３６】
続いて、関連データ取得部１３は、各関連サイトから、いずれかの目的データへのリンクを有するデータ（すなわち、関連データ）を、検索する（Ｓ１０３、Ｓ１０４）。例えば、関連データ取得部１３は、目的サイトのドメイン名を含むリンク情報を有することを条件とするクエリ（検索要求）を、各関連サイトに係るデータ公開装置２０に送信することにより、関連データを検索する。当該クエリの送信は、ＳＰＡＲＱＬに準拠したＡＰＩを呼び出すことにより行われてもよい。斯かるクエリは、例えば、「全データを取得」といったようなクエリとは異なり、検索範囲が限定されるため、クエリの送信先のデータ公開サイトによって拒否される可能性は低い。
【００３７】
図８は、関連データの検索結果の一例を示す図である。図８において、一つの行が一つの関連データに対応する。
【００３８】
図８において、各データは、データＵＲＩ、内容、及びリンク先ＵＲＩ等を含む。データＵＲＩは、当該データのＵＲＩである。内容は、当該データの内容である。例えば、当該データが、或る人物の名称を示すデータであれば、当該名称が内容の値となる。リンク先ＵＲＩは、当該データのリンク先（参照先）のデータである。なお、１つのデータに関して、複数のリンク先ＵＲＩが含まれてもよい。
【００３９】
なお、図８において、データＵＲＩに、「ｄａｔａ．ｎｎｎｔｉｍｅｓ．ｃｏｍ」のドメイン名が含まれているデータは、関連サイト「ＮＮＮＴｉｍｅｓ」から検索された関連データである。一方、データＵＲＩに、「ｗｗｗ．ｂｂｂ．ｃｏ．ｕｋ」のドメイン名が含まれているデータは、関連サイト「ＢＢＢＭｕｓｉｃ」から検索された関連データである。
【００４０】
なお、図８には、各データが、表の１行として表現されているが、各データは、ファイル等、それぞれ独立して取り扱いが可能な形式で実現されてもよい。例えば、各データは、ＲＤＦ形式によって記述されたデータであってもよい。
【００４１】
続いて、リンク情報抽出部１４は、各関連データから、目的データに関するリンク情報を抽出する（Ｓ１０５）。図８の例では、ドメイン名として「ｄｂｐｅｄｉａ．ｏｒｇ」を含むＵＲＩが、各関連データのリンク先ＵＲＩから抽出される。「ｄｂｐｅｄｉａ．ｏｒｇ」は、データの取得要求に指定あれる、目的サイトの識別情報に基づいて特定される。例えば、当該識別情報が、ドメイン名であってもよいし、当該識別情報に対応するドメイン名が、検索可能とされていてもよい。
【００４２】
続いて、リンク情報抽出部１４は、抽出されたＵＲＩの一覧における重複を排除する（Ｓ１０６）。重複が排除されることにより生成されるＵＲＩの一覧を、以下、「ＵＲＩリスト」という。ＵＲＩリストに含まれているＵＲＩは、各目的データのＵＲＩである。
【００４３】
続いて、目的データ取得部１５は、ＵＲＩリストが空であるか否かを判定する（Ｓ１０７）。ＵＲＩリストに１以上のＵＲＩが含まれている場合（Ｓ１０７でＮｏ）、目的データ取得部１５は、ＵＲＩリストから一つのＵＲＩを取り出す（Ｓ１０８）。取り出されたＵＲＩ（以下、「対象ＵＲＩ」という。）は、ＵＲＩリストから削除される。
【００４４】
続いて、目的データ取得部１５は、対象ＵＲＩに係る目的データを、目的サイトから検索する（Ｓ１０９）。例えば、目的データ取得部１５は、当該ＵＲＩをデータＵＲＩとして有することを条件とするクエリ（検索要求）を、目的サイトに送信することにより、目的データを検索する。当該クエリの送信は、ＳＰＡＲＱＬに従ってよって行われてもよい。斯かるクエリは、例えば、「全データを取得」といったようなクエリとは異なり、検索範囲が限定されるため、クエリの送信先のデータ公開サイトによって拒否される可能性は低い。なお、検索される目的データも、図８に示したデータ構造を有する。
【００４５】
続いて、目的データ取得部１５は、検索された目的データ（以下、「対象データ」という。）のリンク先ＵＲＩに、内部へのリンク情報が含まれているか否かを判定する（Ｓ１１０）。内部へのリンク情報とは、目的サイトにおける他のデータへのリンク情報をいう。すなわち、内部へのリンク情報とは、目的サイトのドメイン名を含むＵＲＩ（以下、「内部ＵＲＩ」という。）をいう。
【００４６】
対象データのリンク先ＵＲＩに、内部ＵＲＩが含まれていない場合（Ｓ１１０でＮｏ）、ステップＳ１０７以降が繰り返される。対象データのリンク先ＵＲＩに、内部ＵＲＩが含まれている場合（Ｓ１１０でＹｅｓ）、目的データ取得部１５は、当該内部ＵＲＩが、ＵＲＩリストに含まれているいずれかのＵＲＩ、又は既に検索されたいずれかの目的データのＵＲＩと重複しているか否かを判定する（Ｓ１１１）。斯かる重複が有る場合（Ｓ１１１でＹｅｓ）、ステップＳ１０７以降が繰り返される。斯かる重複が無い場合（Ｓ１１１でＮｏ）、目的データ取得部１５は、当該内部ＵＲＩを、ＵＲＩリストに追加し（Ｓ１１２）、ステップＳ１０７以降を繰り返す。内部ＵＲＩがＵＲＩリストに追加されることで、目的サイトの外部からは参照されていないが、目的サイト内のいずれかのデータから参照されているデータをも取得することができる。すなわち、関連データから間接的に参照されているデータの取得が可能となる。
【００４７】
ステップＳ１０７以降が繰り返される過程において、ＵＲＩリストが空になると（Ｓ１０７でＹｅｓ）、図５の処理は終了する。
【００４８】
図５において説明した処理手順を具体例に当てはめて説明する。図９は、データ取得装置が実行する処理手順の一例を具体的に説明するための図である。
【００４９】
図５には、目的サイトＺと、関連サイトＸ及び関連サイトＺが示されている。斯かるサイト間の参照関係は、ステップＳ１０２において特定される。
【００５０】
ステップＳ１０３及びＳ１０４において、関連サイトＸに属するデータｄＸ１、データｄＸ２、及びデータｄＸ３と、関連サイトＹに属するデータｄＹ１及びデータｄＹ２とが、関連データとして検索される。
【００５１】
ステップＳ１０５及びＳ１０６において、データｄＸ１〜ｄＸ３、並びにデータｄＹ２及びｄＹ２のそれぞれのリンク先ＵＲＩから、目的サイトＺに属するデータのＵＲＩが抽出される。
【００５２】
ステップＳ１０９において、各関連データから抽出されたＵＲＩに基づいて、目的サイトＺに属するデータｄＺ１〜ｄＺ５が取得される。また、データｄＺ１、ｄＺ３、ｄＺ４、又はｄＺ５が有する内部リンクに基づいて、データｄＺ６、ｄＺ７、ｄＺ８、ｄＺ９、及びｄＺ１０が取得される。更に、データｄＺ１０が有する内部リンクに基づいて、データｄＺ１１が取得される。その結果、データ公開サイトＺに属するデータ群の中で、他のデータ公開サイトに属するデータから直接的又は間接的に参照されているデータ群を取得することができる。
【００５３】
上述したように、本実施の形態によれば、「全データを取得」といったようなクエリを用いずとも、或るデータ公開サイトに属するデータを大量に取得することができる。
【００５４】
なお、本実施の形態において、データ取得装置１０は、情報処理装置の一例である。関連データ取得部１３は、第一の送信部の一例である。リンク情報抽出部１４は、取得部の一例である。目的データ取得部１５は、第二の送信部の一例である。
【００５５】
以上、本発明の実施例について詳述したが、本発明は斯かる特定の実施形態に限定されるものではなく、特許請求の範囲に記載された本発明の要旨の範囲内において、種々の変形・変更が可能である。
【００５６】
以上の説明に関し、更に以下の項を開示する。
（付記１）
コンピュータが、
所定のデータ公開サイトに含まれるいずれかのデータを参照するデータの検索要求を、前記所定のデータ公開サイトとは異なるデータ公開サイトに送信し、
前記異なるデータ公開サイトから検索されたデータから、当該データが参照するデータの識別情報を取得し、
前記識別情報により特定されるデータの検索要求を、前記所定のデータ公開サイトに送信する、
処理を実行することを特徴とするデータ取得方法。
（付記２）
データ公開サイト間の参照関係を示す情報を記憶する記憶部を参照して、前記所定のデータ公開サイトを参照するデータ公開サイトを特定する処理を前記コンピュータが実行し、
前記所定のデータ公開サイトとは異なるデータ公開サイトに送信する処理は、前記特定する処理において特定されたデータ公開サイトに、データの検索要求を送信する、
ことを特徴する付記１記載のデータ取得方法。
（付記３）
コンピュータに、
所定のデータ公開サイトに含まれるいずれかのデータを参照するデータの検索要求を、前記所定のデータ公開サイトとは異なるデータ公開サイトに送信し、
前記異なるデータ公開サイトから検索されたデータから、当該データが参照するデータの識別情報を取得し、
前記識別情報により特定されるデータの検索要求を、前記所定のデータ公開サイトに送信する、
処理を実行させるデータ取得プログラム。
（付記４）
データ公開サイト間の参照関係を示す情報を記憶する記憶部を参照して、前記所定のデータ公開サイトを参照するデータ公開サイトを特定する処理を前記コンピュータに実行させ、
前記所定のデータ公開サイトとは異なるデータ公開サイトに送信する処理は、前記特定する処理において特定されたデータ公開サイトに、データの検索要求を送信する、
ことを特徴する付記３記載のデータ取得プログラム。
（付記５）
所定のデータ公開サイトに含まれるいずれかのデータを参照するデータの検索要求を、前記所定のデータ公開サイトとは異なるデータ公開サイトに送信する第一の送信部と、
前記異なるデータ公開サイトから検索されたデータを解析して、当該データが参照するデータの識別情報を取得する取得部と、
前記識別情報により特定されるデータの検索要求を、前記所定のデータ公開サイトに送信する第二の送信部と、
を有することを特徴とする情報処理装置。
（付記６）
データ公開サイト間の参照関係を示す情報を記憶する記憶部を参照して、前記所定のデータ公開サイトを参照するデータ公開サイトを特定する特定部を有し、
前記第一の送信部は、前記特定する処理において特定されたデータ公開サイトに、データの検索要求を送信する、
ことを特徴する付記５記載の情報処理装置。
【符号の説明】
【００５７】
１０          データ取得装置
１１          要求受付部
１２          関連サイト特定部
１３          関連データ取得部
１４          リンク情報抽出部
１５          目的データ取得部
１６          サイト関連情報記憶部
２０          データ公開装置
１００        ドライブ装置
１０１        記録媒体
１０２        補助記憶装置
１０３        メモリ装置
１０４        ＣＰＵ
１０５        インタフェース装置
Ｂ            バス
【図１】
0006340986.tif 000002
【図２】
0006340986.tif 000003
【図３】
0006340986.tif 000004
【図４】
0006340986.tif 000005
【図５】
0006340986.tif 000006
【図６】
0006340986.tif 000007
【図７】
0006340986.tif 000008
【図８】
0006340986.tif 000009
【図９】
0006340986.tif 000010